(57)【要約】【課題】  ジャックによる突き上げの開始時から終了時にわたって、押鍵力をハンマーに効率良く伝えることができるピアノのシャンクローラを提供する。【解決手段】  鍵１の押鍵に伴い、ジャック６の上下方向に延びる突き上げ部６ａで突き上げられることによって、ハンマー２を回動させるピアノ１０のシャンクローラ１３であって、支持部２７を有し、ハンマーシャンク１１の下面１１ａに支持部２７を介して支持、固定されるとともに、下方に突出する芯板２３と、芯板２３の前面２３ａおよび背面２３ｂを覆うように設けられたクッション材２４、２５とを備え、芯板２３の支持部２７は、ジャック６による突き上げの開始時から終了時にわたって突き上げ部６ａの延長線Ｆ１が支持部２７を通るような前後方向の幅を有している。【選択図】  図６
2010020216.tif 000002
【特許請求の範囲】
【請求項１】
回動自在のハンマーで弦の打弦を行うピアノにおいて、前記ハンマーの前後方向に延びるハンマーシャンクに設けられ、離鍵状態においてレペティションレバーに載置されるとともに、鍵の押鍵に伴い、ジャックの上下方向に延びる突き上げ部で突き上げられることによって、ハンマーを回動させるピアノのシャンクローラであって、
支持部を有し、前記ハンマーシャンクの下面に前記支持部を介して支持、固定されるとともに、下方に突出する芯板と、
当該芯板の前面および背面を覆うように設けられたクッション材とを備え、
前記芯板の前記支持部は、前記ジャックによる突き上げの開始時から終了時にわたって前記突き上げ部の延長線が前記支持部を通るような前後方向の幅を有していることを特徴とするピアノのシャンクローラ。
【請求項２】
前記芯板は、前記前面が前記ハンマーシャンクの下面に対して直角に延び、前記ジャックによる突き上げの開始時に前記突き上げ部と平行になり、前記背面が前記ハンマーシャンクの下面に対し、下方に向かって前記前面に近づくように傾斜し、前記ジャックによる突き上げの終了時に前記突き上げ部と平行になるように、前記支持部を底辺とする台形状に形成されていることを特徴とする請求項１に記載のピアノのシャンクローラ。
【請求項３】
前記芯板の側面には、離鍵状態において前記ジャックの背面の延長線に重なるように、前記ジャックの角度を調整する際の目安にするための線分が表示されていることを特徴とする請求項１または２に記載のピアノのシャンクローラ。
【発明の詳細な説明】
【技術分野】
【０００１】
本発明は、ハンマーに設けられたピアノのシャンクローラに関する。
【背景技術】
【０００２】
従来のこの種のシャンクローラとして、例えば特許文献１に開示されたものが知られている。図７および図８に示すように、このシャンクローラ５０は、前後方向に延び、後端部を中心として回動自在のハンマー５１のハンマーシャンク５２に設けられており、ハンマーシャンク５２に固定された芯板５３と、この芯板５３に巻かれた柱状のクッション材５４とで構成されている。この芯板５３は、一定の厚さと、ハンマーシャンク５２と同じ左右方向の幅を有し、ハンマーシャンク５２の下面から直角に突出している。
【０００３】
ハンマーシャンク５２の下方には、前後方向に延びるレペティションレバー５５が設けられている。このレペティションレバー５５には、上下方向に貫通するジャック案内孔５５ａが形成されている。ハンマー５１は、離鍵状態において、シャンクローラ５０を介してレペティションレバー５５に載置されている。また、ジャック案内孔５５ａには、ジャック５６の突き上げ部５７の上端部が挿入されており、その上端はシャンクローラ５０に対向している。
【０００４】
離鍵状態では、図７に示すように、ジャック５６の突き上げ部５７とシャンクローラ５０の芯板５３は一直線上に整列している。この離鍵状態から鍵が押鍵されると、シャンクローラ５０がジャック５６で突き上げられることによって、ハンマーシャンク５２を含むハンマー５１が回動するのに対し、その間、ジャック５６はほとんど回動しない。このため、ハンマー５１の回動に伴い、ジャック５６の突き上げ部５７とシャンクローラ５０の芯板５３との上述した整列関係が崩れ、両者のなす角度Ａは、次第に大きくなり、ジャック５６がシャンクローラ５０から抜ける（レットオフ）突き上げの終了時には、図８に示すように非常に大きくなる（例えば２０度）。このため、ジャック５６の突き上げ力Ｆは、芯板５３の長さ方向に作用し、芯板５３を押圧する押圧力ＦＬと、芯板５３の長さ方向と直角な方向に作用し、芯板５３を曲げようとする曲げ力ＦＢとに分散される。その結果、エネルギーの伝達ロスが生じ、押鍵力がハンマー５１に効率良く伝わらないため、十分な音量を得ることができないなどの不具合が生じる。
【０００５】
本発明は、このような課題を解決するためになされたものであり、ジャックによる突き上げの開始時から終了時にわたって、押鍵力をハンマーに効率良く伝えることができるピアノのシャンクローラを提供することを目的とする。
【０００６】
【特許文献１】特開２００３−１５６３０号公報
【発明の開示】
【課題を解決するための手段】
【０００７】
この目的を達成するために、本願の請求項１に係る発明は、回動自在のハンマーで弦の打弦を行うピアノにおいて、ハンマーの前後方向に延びるハンマーシャンクに設けられ、離鍵状態においてレペティションレバーに載置されるとともに、鍵の押鍵に伴い、ジャックの上下方向に延びる突き上げ部で突き上げられることによって、ハンマーを回動させるピアノのシャンクローラであって、支持部を有し、ハンマーシャンクの下面に支持部を介して支持、固定されるとともに、下方に突出する芯板と、芯板の前面および背面を覆うように設けられたクッション材とを備え、芯板の支持部は、ジャックによる突き上げの開始時から終了時にわたって突き上げ部の延長線が支持部を通るような前後方向の幅を有していることを特徴とする。
【０００８】
この構成によれば、離鍵状態において、回動自在のハンマーは、シャンクローラを介してレペティションレバーに載置されている。シャンクローラの芯板は、その支持部を介して、ハンマーのハンマーシャンクの下面に支持、固定されている。芯板の支持部は、ジャックによる突き上げの開始時から終了時にわたってジャックの突き上げ部の延長線が通るような前後方向の幅を有している。離鍵状態から鍵が押鍵されると、ハンマーは、シャンクローラがジャックで突き上げられることによって回動し、弦を打弦する。このハンマーによる打弦によって、ピアノ音が発生する。
【０００９】
本発明によれば、シャンクローラの芯板の支持部が上述したような前後方向の幅を有するので、ジャックによる突き上げの開始時から終了時にわたって、ジャックの突き上げ部の延長線は、芯板の支持部を通り、この支持部から外れない。したがって、ジャックの突き上げ力は、芯板に曲げ力としてはほとんど作用せず、その大部分が芯板に押圧力として作用する。その結果、ジャックによる突き上げの開始時から終了時にわたり、突き上げの際のエネルギーの伝達ロスがほとんど生じることなく、鍵の押鍵力をハンマーに効率良く伝えることができ、それにより、十分な音量などを得ることができる。
【００１０】
請求項２に係る発明は、請求項１に記載のピアノのシャンクローラにおいて、芯板は、前面がハンマーシャンクの下面に対して直角に延び、ジャックによる突き上げの開始時に突き上げ部と平行になり、背面がハンマーシャンクの下面に対し、下方に向かって前面に近づくように傾斜し、ジャックによる突き上げの終了時に突き上げ部と平行になるように、前記支持部を底辺とする台形状に形成されていることを特徴とする。
【００１１】
この構成によれば、芯板は、その前面がハンマーシャンクの下面に対して直角に延び、背面がハンマーシャンクの下面に対し、下方に向かって前面に近づくように傾斜しており、全体として、支持部を底辺とする台形状に形成されている。そして、ジャックによる突き上げの開始時には、芯板の前面がジャックの突き上げ部と平行になり、突き上げの終了時には、芯板の背面がジャックの突き上げ部と平行になる。このように、ジャックによる突き上げの開始時から終了時にわたって、ジャックの突き上げ部の延長線が芯板の支持部を通るので、上述した請求項１の作用を得ることができる。
【００１２】
また、芯板が台形状に形成されていることで、厚さが一定の通常の芯板に対して最小限の断面増加によって、上記の作用が得られ、それにより、次のような利点を得ることができる。すなわち、通常、芯板の比重はクッション材よりも大きいので、芯板の断面増加が最小限であることにより、シャンクローラの重量増加を最小限に抑制でき、それにより、ハンマーの動きの軽快さを維持することができる。同じ理由から、通常のクッション材に若干の変更を加えるだけで、これを芯板に巻くことができるので、シャンクローラを容易に製造することができる。
【００１３】
請求項３に係る発明は、請求項１または２に記載のピアノのシャンクローラにおいて、芯板の側面には、離鍵状態においてジャックの背面の延長線に重なるように、ジャックの角度を調整する際の目安にするための線分が表示されていることを特徴とする。
【００１４】
この構成によれば、芯板の側面に上述したような線分が表示されているので、離鍵状態において、ジャックの背面の延長線がこの芯板の線分に重なるようにすることによって、ジャックの角度を所望の角度に調整することができ、その調整作業を容易に行うことができる。
【発明を実施するための最良の形態】
【００１５】
以下、図面を参照しながら、本発明の好ましい実施形態を詳細に説明する。図１および図２は、本発明の実施形態によるグランドピアノ１０（以下、単に「ピアノ」という）の鍵盤装置を、それぞれ離鍵状態および押鍵状態において示している。これらの図に示すように、このピアノ１０は、複数の鍵１（１つのみ図示）と、鍵１ごとに設けられ、弦Ｓを打弦するハンマー２と、鍵１の後部の上側に設けられたアクション３などを備えている。
【００１６】
このピアノ１０は、ハンマー２による弦Ｓの打弦により、アコースティックな演奏音を発生させるように構成されている。以下、ピアノ１０を演奏者から見た場合の手前側（同図の右側）を「前」、奥側（同図の左側）を「後」として説明を行うものとする。
【００１７】
アクション３は、ウィッペン４と、ウィッペン４に取り付けられたレペティションレバー５およびジャック６を備えている。ウィッペン４は、その後端部において、ウィッペンレール７に固定されたウィッペンフレンジ８に回動自在に支持されており、中央において、鍵１の後部に設けられたキャプスタンスクリュー９に載置されている。
【００１８】
ハンマー２は、前後方向に延びるハンマーシャンク１１と、ハンマーシャンク１１の後端部に取り付けられたハンマーヘッド１２と、ハンマーシャンク１１の前部の下面に取り付けられたシャンクローラ１３などで構成されている。また、ハンマーシャンク１１の前端部は、左右方向に延びる水平なセンターピン１４を介して、ハンマーシャンクフレンジ１５に支持されている。それにより、ハンマー２は、センターピン１４を中心として回動自在である。
【００１９】
ハンマーシャンクフレンジ１５は、左右方向に並んだ状態で、ハンマーシャンクレール１６の上面に保持されている。ハンマーシャンクレール１６は、筬（図示省略）の上に設けられた複数のブラケット１７（１つのみ図示）に取り付けられ、左右方向に延びている。
【００２０】
このハンマーシャンクレール１６の下面には、レギュレーティングレール１８が一体に設けられている。このレギュレーティングレール１８には、レギュレーティングボタン１９が下方に突出するように設けられている。また、ハンマーシャンクフレンジ１５の後端部には、下方に突出するドロップスクリュー２０が設けられている。
【００２１】
レペティションレバー５は、前後方向に延び、その中央でウィッペン４に回動自在に取り付けられており、レペティションスプリング２１によって、図１の反時計方向に付勢されている。また、レペティションレバー５の前部には、上下方向に貫通するジャック案内孔５ａが形成されている。
【００２２】
ジャック６は、「Ｌ」字状に形成されており、上下方向に延びる突き上げ部６ａと、その下端部の角部から前方に延びる当接部６ｂで構成されている。ジャック６は、その角部を介して、ウィッペン４に回動自在に取り付けられている。ジャック６の突き上げ部６ａの上端部は、上述したジャック案内孔５ａに挿入され、離鍵状態においてシャンクローラ１３とわずかな間隔を隔てた状態で対向している。また、ジャック６の当接部６ｂは、レギュレーティングボタン１９と所定間隔を隔てて下方から対向している。
【００２３】
ジャック６には、レペティションスプリング２１が係合しており、それにより、ジャック６は、図１の反時計方向に付勢されている。ジャック６の突き上げ部６ａには、ジャックボタンスクリュー３０がねじ込まれ、前後方向に貫通しており、その後端部にジャックボタン３１が取り付けられている。また、ウイッペン４にはスプーン２２が立設されており、このスプーン２２にジャックボタン３１が当接している。したがって、ジャックボタンスクリュー３０を回転させ、ジャックボタン３１を突き上げ部６ａに対して前後方向に移動させることによって、離鍵状態におけるジャック６の角度を調整することが可能である。
【００２４】
図３および図４に示すように、シャンクローラ１３は、全体としてほぼ円柱状に形成されており、ハンマーシャンク１１の左右方向の幅と同じ長さを有するとともに、一定の断面を有している。また、シャンクローラ１３は、ハンマーシャンク１１から下方に突出する芯板２３と、芯板２３に巻かれた中芯２４と、中芯２４を覆う表皮２５とを有している。
【００２５】
芯板２３は、堅木で構成されており、その比重は、中芯２４や表皮２５よりも大きい。また、芯板２３は、支持部２７を底辺とする台形状の側面形状を有している。具体的には、支持部２７は、前後方向に所定の幅を有しており、ハンマーシャンク１１の下面１１ａに左右方向に横断するように形成された溝２６に嵌合している。これにより、シャンクローラ１３は、ハンマーシャンク１１に固定されている。また、芯板２３の前面２３ａは、ハンマーシャンク１１の下面１１ａに対して直角に下方に延び、背面２３ｂは、下面１１ａに対し、下方に向かって前面２３ａに近づくように傾斜している。さらに、芯板２３の下面２３ｃおよび支持部２７の上面は、ハンマーシャンク１１に対して平行である。
【００２６】
芯板２３の側面２８には、下面２３ｃの後端から支持部２７の上面まで、前面２３ａと平行に延びる線分２９が表示されている。この線分２９は、離鍵状態においてジャック６の角度を調整する際の目安にするためのものである。
【００２７】
中芯２４は、所定の硬さを有する羊毛のフェルトなどで構成され、芯板２３の前面２３ａ、背面２３ｂおよび下面２３ｃを、支持部２７を残して覆っている。表皮２５は、ポリエチレンおよびポリウレタンの繊維からなる人工皮革などで構成され、中芯２４の外周を覆っている。これら中芯２４および表皮２５は、それぞれ、木工ボンドなどで接着されている。
【００２８】
次に上述した構成のピアノ１０の動作を説明する。まず、図１に示す離鍵状態において、ジャック６の角度を調整する。この調整は、図５に示すように、芯板２３の側面２８に表示された線分２９に、ジャック６の背面６ｃの延長線Ｆ１が重なるように、ジャックボタンスクリュー３０を回すことによって行われる。離鍵状態では、このように調整されたジャック６の突き上げ部６ａは、シャンクローラ１３の芯板２３の前面２３ａと平行であり、ハンマーシャンク１１に対して直交している。
【００２９】
また、ハンマー２は、シャンクローラ１３を介して、レペティションレバー５に載置されている。具体的には、シャンクローラ１３は、レペティションレバー５のジャック案内孔５ａをまたいだ状態で、レペティションレバー５のジャック案内孔５ａの左右両側の部分に載っている。
【００３０】
この離鍵状態から鍵１が押鍵されると、ウィッペン４が、キャプスタンスクリュー９を介して突き上げられることにより、上方に回動するとともに、レペティションレバー５およびジャック６がウィッペン４と一緒に上方に移動する。このジャック６の上方への移動に伴い、その突き上げ部６ａがシャンクローラ１３を介してハンマー２を突き上げることによって、ハンマー２が上方に回動する。
【００３１】
ハンマー２が弦Ｓを打弦する直前まで回動したときに、ジャック６の当接部６ｂが、レギュレーティングボタン１９に当接することによって、ジャック６は、ウィッペン４に対して、図１の時計方向に回動する。これにより、ジャック６がハンマー２から離脱（レットオフ）し、ジャック６によるハンマー２の突き上げが終了する。その後、ハンマー２は、慣性で回動し、弦Ｓを打弦する。
【００３２】
以下、上述したハンマー２の回動中におけるジャック６とシャンクローラ１３の芯板２３との位置関係について、図５および図６を参照しながら、詳細に説明する。図５に示すように、離鍵状態では、ジャック６の突き上げ部６ａは、後方に向かって傾いており、ハンマーシャンク１１に対して直交している。
【００３３】
ジャック６による突き上げの間、ジャック６はほとんど回動しないので、その突き上げ部６ａの傾きはほとんど変わらない。このため、ジャック６による突き上げの開始時から終了時まで、ジャック６の突き上げ部６ａの後端が、シャンクローラ１３に接しており、ジャック６の突き上げ力Ｆは、この後端の作用点６ｄを通り、背面６ｃの延長線上に延びる延長線Ｆ１に沿って作用する。
【００３４】
図５に示すように、離鍵状態、すなわち、ジャック６による突き上げの開始時には、この延長線Ｆ１は、芯板２３の目安用の線分２９に重なり、支持部２７の中央付近を通っている。この状態からジャック６による突き上げが進むと、ハンマー２が上方に回動するのに伴い、ハンマーシャンク１１の角度が変化する。そして、この突き上げの終了時には、図６に示すように、延長線Ｆ１は、芯板２３の背面２３ｂに重なり、支持部２７を外れない。
【００３５】
以上のように、本実施形態によれば、ジャック６による突き上げの開始時から終了時にわたって、ジャック６の突き上げ力Ｆの作用線である延長線Ｆ１は、
芯板２３の支持部２７を通り、支持部２７から外れない。したがって、ジャック６の突き上げ力Ｆは、芯板２３に曲げ力としてはほとんど作用せず、その大部分が芯板２３に押圧力として作用する。その結果、ジャック６による突き上げの開始時から終了時にわたり、突き上げの際のエネルギーの伝達ロスがほとんど生じることなく、鍵１の押鍵力をハンマー２に効率良く伝えることができ、それにより、十分な音量などを得ることができる。
【００３６】
また、芯板２３の側面形状が台形状であることで、厚さが一定の通常の芯板２３に対して最小限の断面増加によって、芯板２３を形成できる。芯板２３の比重は、中芯２４や表皮２５よりも大きいので、芯板２３の断面増加が最小限であることにより、シャンクローラ１３の重量増加を最小限に抑制でき、それにより、ハンマー２の動きの軽快さを維持することができる。同じ理由から、通常の中芯２４や表皮２５に若干の変更を加えるだけで、これらを芯板２３に巻くことができるので、シャンクローラ１３を容易に製造することができる。
【００３７】
また、離鍵状態において、芯板２３の側面２８に表示された線分２９にジャック６の背面６ｃの延長線Ｆ１が重なるようにするだけで、ジャック６の角度を所望の角度に調整でき、その調整作業を容易に行うことができる。
【００３８】
なお、本発明は、説明した実施形態に限定されることなく、種々の態様で実施できる。例えば、実施形態では、芯板２３の側面形状が台形状であるが、ジャック６による突き上げの開始時から終了時まで、延長線Ｆ１が支持部２７を通る限り、任意の形状とすることが可能であり、例えば、三角形状や長方形状とすることもできる。その他、本発明の趣旨の範囲内において、細部の構成を変更することが可能である。
【図面の簡単な説明】
【００３９】
【図１】本発明のシャンクローラを備えたグランドピアノの鍵盤装置を離鍵状態において示す側断面図である。
【図２】図１の鍵盤装置を押鍵状態において示す側断面図である。
【図３】本発明のシャンクローラを離鍵状態において示す拡大側面図である。
【図４】本発明のシャンクローラを上下逆向きに示した拡大斜視図である。
【図５】ジャックによる突き上げの開始時におけるシャンクローラとジャックとの位置関係を示す拡大側面図である。
【図６】ジャックによる突き上げの終了時におけるシャンクローラとジャックとの位置関係を示す拡大側面図である。
【図７】ジャックによる突き上げの開始時における従来のシャンクローラとジャックとの位置関係を示す拡大側面図である。
【図８】ジャックによる突き上げの終了時における従来のシャンクローラとジャックとの位置関係を示す拡大側面図である。
【符号の説明】
【００４０】
１  鍵
２  ハンマー
５  レペティションレバー
６  ジャック
６ａ  突き上げ部
１０  ピアノ
１１  ハンマーシャンク
１１ａ  ハンマーシャンクの下面
２３  芯板
２３ａ  芯板の前面
２３ｂ  芯板の背面
２４  中芯（クッション材）
２５  表皮（クッション材）
２７  支持部
２８  側面
２９  線分
Ｓ  弦
Ｆ１  ジャックの突き上げ部の延長線  
【図１】
2010020216.tif 000003
【図２】
2010020216.tif 000004
【図３】
2010020216.tif 000005
【図４】
2010020216.tif 000006
【図５】
2010020216.tif 000007
【図６】
2010020216.tif 000008
【図７】
2010020216.tif 000009
【図８】
2010020216.tif 000010